(57)【特許請求の範囲】
【請求項１】
本体ユニットに取り付けられて開閉するプリンターカバーと、
前記本体ユニットを設置面に設置したときに前記設置面に対向する前記本体ユニットの底板に形成される開口を通って突出して進退移動し、前記設置面に対する前記本体ユニットの状態に応じて前記設置面に当接もしくは離間する当接部材と、
前記当接部材の進退移動に連動して移動し、前記当接部材が前記設置面に当接するときに前記プリンターカバーの開閉動作を規制せず、前記当接部材が前記設置面に対して離間したときに前記プリンターカバーの開閉動作を規制する規制部材と、
を備えることを特徴とするプリンターカバーの開閉機構。
【請求項２】
記録媒体に像を記録する記録部、及び前記記録媒体を収容する収容部を有する本体ユニットと、
前記本体ユニットに取り付けられて開閉するプリンターカバーと、
前記本体ユニットを設置面に設置したときに前記設置面に対向する前記本体ユニットの底板に形成される開口を通って突出して進退移動し、前記設置面に対する前記本体ユニットの状態に応じて前記設置面に当接もしくは離間する当接部材と、
前記当接部材の進退移動に連動して移動し、前記当接部材が前記設置面に当接するときに前記プリンターカバーの開閉動作を規制せず、前記当接部材が前記設置面に対して離間したときに前記プリンターカバーの開閉動作を規制する規制部材と、
を備えることを特徴とするプリンター。
【請求項３】
前記本体ユニットの支持部が前記設置面と当接するときに、前記当接部材は前記設置面に当接し、
前記支持部が前記設置面に対して所定量離間したときに、前記当接部材は前記設置面に対して離間する請求項２に記載のプリンター。
【請求項４】
前記当接部材が前記設置面に当接する方向に付勢する付勢部材を有する請求項２または３に記載のプリンター。
【請求項５】
揺動中心で揺動し、前記揺動中心と異なる位置に前記規制部材を配設する揺動レバーを有し、
前記揺動レバーは、前記当接部材の進退移動に応じて揺動し、前記規制部材を移動させる請求項２乃至４のいずれか１項に記載のプリンター。
【請求項６】
前記規制部材は、前記プリンターカバーが開いているときに、前記プリンターカバーが閉じることを規制する部材である請求項２乃至５のいずれか１項に記載のプリンター。
【請求項７】
前記プリンターカバーが閉じる方向に付勢するカバー付勢部材を有する請求項２乃至６のいずれか１項に記載のプリンター。
【発明の詳細な説明】
【技術分野】
【０００１】
本発明は、プリンターに取り付けた開閉可能なプリンターカバーの開閉動作を、プリンターの設置状態、姿勢に応じて規制することのできる機能を備えたプリンターカバーの開閉機構、および、当該開閉機構を備えたプリンターに関する。
【背景技術】
【０００２】
プリンターには、一般に、インクカートリッジ、記録紙などの消耗品の交換、内部のメンテナンスなどのために、プリンターカバーが開閉可能な状態で取り付けられている。例えば、ロール紙プリンターでは、そのロール紙収納部の開口部に、ロール紙交換などのために開閉されるプリンターカバーが取り付けられている。プリンターカバーは例えばプリンター前面に配置され、当該プリンターカバーの下端部を中心として起立した閉じ位置からプリンター手前側に倒れた開き位置までの間を開閉するようになっており、ロック機構によって閉じ位置にロックされている。この構成のロール紙プリンターは特許文献１に開示されている。
【先行技術文献】
【特許文献】
【０００３】
【特許文献１】特開２００９−１０１６５２号公報
【発明の概要】
【発明が解決しようとする課題】
【０００４】
ここで、ロール紙プリンターなどのプリンターを、プリンターカバーを開けたままの状態で傾けると、プリンターカバーが勢いよく閉じることがある。例えば、プリンター前面にプリンターカバーが取り付けられている場合において、プリンターカバーが開いたままプリンターをプリンターカバーの閉じ方向であるプリンター後方に傾けると、開いているプリンターカバーの姿勢が全体として閉じ側に傾く。プリンターを大きく傾けると、プリンターカバーに作用している当該プリンターカバーの自重による開き方向のモーメントが減少し、あるいは、閉じ方向にモーメントが作用する。このため、プリンターカバーが勢いよく閉じる可能性がある。勢いよく閉じたプリンターカバーがプリンター本体側の部位に当たり、プリンター操作者が予期しない大きな衝突音が発生する可能性がある。さらに、プリンターカバーが不用意に閉じてしまうと、再度、プリンターカバーを開ける操作が必要になってしまう。
【０００５】
また、プリンターカバーは一般にロック機構によって閉じ位置にロックされているが、ロックを解除した状態ではプリンターカバーは開閉方向に簡単に移動可能な不安定な状態になる。したがって、プリンターカバーのロックを解除した状態のままでプリンターを傾斜させた場合、あるいは、プリンターを持ち上げて移動させた場合には、プリンターカバーが開閉方向に大きく揺れ、プリンターを安定した状態で取り扱うことができないので不便である。
【０００６】
本発明の課題は、このような点に鑑みて、プリンターを傾けた場合や持ち上げた場合にプリンターカバーが勢いよく移動してしまうことを防止可能なプリンターカバーの開閉機構、および当該開閉機構を備えたプリンターを提案することにある。
【課題を解決するための手段】
【０００７】
上記の課題を解決するために、本発明のプリンターカバーの開閉機構は、本体ユニットに取り付けられて開閉するプリンターカバーと、前記本体ユニットを設置面に設置したときに前記設置面に対向する前記本体ユニットの底板に形成される開口を通って突出して進退移動し、前記設置面に対する前記本体ユニットの状態に応じて前記設置面に当接もしくは離間する当接部材と、前記当接部材の進退移動に連動して移動し、前記当接部材が前記設置面に当接するときに前記プリンターカバーの開閉動作を規制せず、前記当接部材が前記設置面に対して離間したときに前記プリンターカバーの開閉動作を規制する規制部材と、を備えることを特徴としている。
【０００８】
また、本発明のプリンターは、記録媒体に像を記録する記録部、及び前記記録媒体を収容する収容部を有する本体ユニットと、前記本体ユニットに取り付けられて開閉するプリンターカバーと、前記本体ユニットを設置面に設置したときに前記設置面に対向する前記本体ユニットの底板に形成される開口を通って突出して進退移動し、前記設置面に対する前記本体ユニットの状態に応じて前記設置面に当接もしくは離間する当接部材と、前記当接部材の進退移動に連動して移動し、前記当接部材が前記設置面に当接するときに前記プリンターカバーの開閉動作を規制せず、前記当接部材が前記設置面に対して離間したときに前記プリンターカバーの開閉動作を規制する規制部材と、を備えることを特徴としている。
【０００９】
本発明では、当接部材がプリンターの設置面に当接している状態では、規制部材に規制されずにプリンターカバーの開閉動作を行うことができ、当接部材が設置面から離間すると規制部材によってプリンターカバーの開閉動作が規定される。プリンターの設置面に対するプリンターの状態が、例えば、設置面に対して所定角度以上傾斜した状態となった場合に、当接部材が設置面から離間するように設定しておくことができる。このようにすれば、プリンターを傾けると、当接部材が設置面から離間し、これに伴って、規制部材によってプリンターカバーの開閉動作が規制される。よって、プリンターを傾けた場合に、不用意にプリンターカバーが開方向あるいは閉方向に移動してしまうことを防止できる。また、例えば、プリンターを設置面に対して所定高さ以上持ち上げた状態となった場合に、当接部材が設置面から離間するようにすれば、プリンターカバーを開けたままプリンターを持ち上げて移動させる場合に、規制部材によって、プリンターカバーを開閉方向に揺れないように規制できるので、開いた状態のプリンターカバーが開閉方向に揺れてプリンターが不安定な状態になることを防止できる。
【００１０】
本発明のプリンターにおいて、前記本体ユニットの支持部が前記設置面と当接するときに、前記当接部材は前記設置面に当接し、前記支持部が前記設置面に対して所定量離間したときに、前記当接部材は前記設置面に対して離間するようにすることができる。
【００１１】
プリンターが設置面に正しく設置されている場合には支持部が設置面に当接し、プリンターが設置面に対して傾いた場合、浮き上がった場合（持ち上げられた場合）等においては、支持部の少なくとも一部が設置面から離間する。したがって、プリンターを傾けた場合に、不用意にプリンターカバーが開方向あるいは閉方向に移動してしまうことを防止できる。また、プリンターカバーを開けたままプリンターを持ち上げて移動させる場合に、規制部材によって、プリンターカバーを開閉方向に揺れないように規制できるので、開いた状態のプリンターカバーが開閉方向に揺れてプリンターが不安定な状態になることを防止できる。
【００１２】
本発明のプリンターは、前記当接部材が前記設置面に当接する方向に付勢する付勢部材を有していてもよい。付勢部材によって、当接部材が不用意に設置面から離間した状態に切り替わってしまうこと等を防止できる。
【００１３】
本発明のプリンターは、揺動中心で揺動し、前記揺動中心と異なる位置に前記規制部材を配設した揺動レバーを有し、前記揺動レバーは、前記当接部材の進退移動に応じて揺動し、前記規制部材を移動させるようになっていてもよい。当接部材と規制部材との連動機構を、単一の揺動レバーを用いて、小型・コンパクトで、設置スペースを多く必要としない簡単な構成とすることができる。
【００１４】
本発明のプリンターにおいて、前記規制部材は、前記プリンターカバーが開いているときに、前記プリンターカバーが閉じることを規制する部材とすることができる。このようにすれば、プリンターカバーを開けたまま、プリンターを傾けた場合、持ち上げた場合等において、プリンターカバーが勢いよく閉じてしまうことや、プリンターカバーが開閉方向に揺動する不安定な状態になってしまうことを防止できる。
【００１５】
本発明のプリンターにおいて、前記支持部は、前記プリンターカバー側に配された第１の脚部と、前記第１の脚部よりも前記プリンターカバーから離れた位置に配された第２の脚部を有し、前記当接部材は前記第１の脚部が前記設置面から離間したときに、前記設置面から離間するようになっていてもよい。この構成によれば、第１の脚部が設置面から離間する状態にプリンターを設置面に対して傾けた場合等に、プリンターカバーの開閉動作を規制して、プリンターカバーが勢いよく開閉してしまうことを防止できる。
【００１６】
本発明のプリンターは、前記プリンターカバーが閉じる方向に付勢するカバー付勢部材を有していてもよい。カバー付勢部材の付勢力によって、プリンターカバーが勢いよく開いてしまうことを防止できると共に、プリンターカバーを閉じる操作を小さな力で簡単に行うことができる。
【図面の簡単な説明】
【００１７】
【図１】本発明を適用したロール紙プリンターの斜視図である。
【図２】プリンターカバーを開いた状態でのロール紙プリンターの斜視図である。
【図３】ロール紙プリンターの概略縦断面図である。
【図４】プリンターカバーを開いた状態でのロール紙プリンターの概略縦断面図である。
【図５】プリンターカバーの開閉機構の斜視図である。
【図６】プリンターカバー閉状態のロール紙プリンターの側面図である。
【図７】プリンターカバー開状態のロール紙プリンターの側面図である。
【図８】プリンターカバー開状態のロール紙プリンターを傾けた状態の側面図である。
【発明を実施するための形態】
【００１８】
以下に、図面を参照して、本発明を適用したプリンターカバーの開閉機構を備えたプリンターの実施の形態を説明する。
【００１９】
（プリンターの全体構成）
図１は本実施の形態に係るインクジェット式のロール紙プリンターの外観斜視図であり、図２はプリンターカバーを開いた状態のロール紙プリンターの外観斜視図である。これらの図に示すように、ロール紙プリンター１は全体としてほぼ直方体形状をしたプリンター本体２（本体ユニット）と、当該プリンター本体２の前面に取り付けたプリンターカバー３とを有している。プリンター本体２の外装ケース２ａの前面には所定幅の記録紙排出口４が形成されている。記録紙排出口４の下側には排紙ガイド５が前方に突出しており、当該排紙ガイド５の側方にはカバー開閉レバー６が配置されている。排紙ガイド５およびカバー開閉レバー６の下側（設置面側）には、ロール紙出し入れ用の矩形の開口部２ｂが形成されており、この開口部２ｂがプリンターカバー３によって封鎖されている。プリンター本体２の前面において、プリンターカバー３の隣には、インクカートリッジあるいはインクタンクの収納部７の開口を覆っているカバー７ａが配置されている。
【００２０】
カバー開閉レバー６を操作するとプリンターカバー３を閉じ位置にロックしているロック機構によるロックが解除されるようになっている。ロック機構としては公知のものを用いることができるので説明および図示を省略する。ロック解除後、排紙ガイド５を前方に引くと、プリンターカバー３は、当該プリンターカバー３の前面部分を構成しているカバーケース３ａの背面側に取り付けられている開閉機構３ｂ（図４参照）によって、その下端部を中心として前方にほぼ水平な姿勢となる位置まで開く。プリンターカバー３が図１に示すように垂直に起立した状態の閉じ位置３Ａから図２に示すようにプリンター前方側に略水平に倒れた状態の開き位置３Ｂ（フルオープン位置）まで開くと、プリンター内部に形成されているロール紙収納部１１が開放状態となり、同時に、ロール紙収納部１１から記録紙排出口４に到る記録紙搬送路が開放状態となり、プリンター前方からロール紙の交換作業などを簡単に行うことができる。ここで、プリンターカバー３が開き位置３Ｂにある状態では、図示しない位置規制部材によって、プリンターカバー３は開き位置３Ｂに保持されるように規制される。
【００２１】
（プリンターの支持部）
図３はロール紙プリンター１の内部構造を示す概略縦断面図であり、図４はプリンターカバー３が開き位置３Ｂにある状態の概略縦断面図である。ロール紙プリンター１の内部に配置されている各部品は、板金製などの剛性の高い素材からなるプリンター本体フレーム１０に組み付けられている。プリンター本体フレーム１０の底板部分１０ａには、プリンター本体２の支持部が取り付けられている。本例の支持部は、底板部分１０ａの裏面において、そのプリンター前端部分におけるプリンター幅方向の両側の部位に配置されている一対の第１の脚部１３と、プリンター後端部分におけるプリンター幅方向の両側の部位に配置されている一対の第２の脚部１４とを備えている。ロール紙プリンター１を設置面Ｇ（図６〜図８参照）に置くと、前後の第１、第２の脚部１３、１４が設置面Ｇに当接した状態になる。
【００２２】
（プリンターの内部構造）
図３、図４を参照してロール紙プリンター１の内部構造を説明する。ロール紙プリンター１の内部にはロール紙収納部１１（記録媒体の収容部）が形成されている。ロール紙収納部１１には、ロール紙１２（記録媒体）がプリンター幅方向に向いた横置き状態で転動可能に収納される。ロール紙収納部１１の後側の上方位置には繰り出しローラー１５が配置されており、繰り出しローラー１５は、プリンター本体フレーム１０によってプリンター幅方向に水平に架け渡された状態で支持されている。繰り出しローラー１５には前側から紙押えローラー１６が押しつけられている。繰り出しローラー１５はプリンター本体フレーム１０に取り付けられた繰り出しモーター１７によって回転駆動される。紙押えローラー１６は、プリンターカバー３の側に取り付けた支持レバー１８によって支持されており、プリンターカバー３を開くと、紙押えローラー１６が繰り出しローラー１５から離れるようになっている。
【００２３】
ロール紙収納部１１の上方には、プリンター本体フレーム１０の上端にヘッドユニットフレーム２０が水平に取り付けられている。ヘッドユニットフレーム２０にはプリンター幅方向にキャリッジガイド軸２１が水平に架け渡されている。このキャリッジガイド軸２１に沿って、キャリッジ２３がプリンター幅方向に往復移動可能である。キャリッジ２３には、インクジェットヘッド２２（記録部）が下向き状態で搭載されている。キャリッジ２３は、公知のキャリッジ搬送機構、例えば、キャリッジモーターおよびタイミングベルトを備えたキャリッジ搬送機構によって、プリンター幅方向に往復移動される。
【００２４】
インクジェットヘッド２２の下側にはプリンター前後方向に水平に延びるプラテンフレーム２４が配置されている。プラテンフレーム２４には、インクジェットヘッド２２に一定のギャップで対峙している吸引プラテン２５がプリンター幅方向に水平に取り付けられており、この吸引プラテン２５によってインクジェットヘッド２２の印刷位置が規定されている。
【００２５】
プラテンフレーム２４の後端には、ロール紙収納部１１に収納されたロール紙１２から引き出される長尺状の記録紙１２ａが架け渡されるテンションガイド２７が配置されている。テンションガイド２７は、プラテンフレーム２４の後端においてプリンター幅方向に水平に架け渡した支軸を中心として上下に旋回可能に取り付けられている。支軸には捩じりバネなどの付勢部材が取り付けられており、この付勢部材によって、テンションガイド２７の凸曲面状の記録紙ガイド面２８が記録紙１２ａ側に付勢されている。
【００２６】
次に、プラテンフレーム２４におけるテンションガイド２７よりも前側の位置には、紙送りローラー３１がプリンター幅方向に水平に架け渡されている。紙送りローラー３１には、記録紙１２ａを介して、ヘッドユニットフレーム２０の側に取り付けられている紙押えローラー３２が所定の押圧力で上側から押し付けられている。プラテンフレーム２４における吸引プラテン２５の前端側の部位には、前側紙送りローラー３３がプリンター幅方向に水平に架け渡されている。この前側紙送りローラー３３には、記録紙１２ａを介して、ヘッドユニットフレーム２０の側に取り付けられている前側紙押えローラー３４が上側から押し付けられている。
【００２７】
紙送りローラー３１および前側紙送りローラー３３は、ロール紙収納部１１の後側においてプリンター本体フレーム１０に取り付けられている紙送りモーター３５によって駆動される。本例では、プラテンフレーム２４に不図示の減速歯車列が搭載されており、この減速歯車列を介して、紙送りモーター３５の回転力が紙送りローラー３１および前側紙送りローラー３３に伝達され、紙送りローラー３１と前側紙送りローラー３３が同期回転する。
【００２８】
ロール紙収納部１１に収納されているロール紙１２から上方に引き出される記録紙１２ａは、図３において太い一点鎖線で示す搬送路Ａに沿って搬送される。搬送路Ａは、繰り出しローラー１５および紙押えローラー１６の間を介して上方に向かい、テンションガイド２７を経由して前方に屈曲した後、紙送りローラー３１および紙押えローラー３２の間、インクジェットヘッド２２と吸引プラテン２５の間、および、前側紙送りローラー３３および前側紙押えローラー３４の間を通って、記録紙排出口４に至る。この搬送路Ａにセットされた記録紙１２ａによってテンションガイド２７が下方に押し込まれ、テンションガイド２７側からの付勢力によって記録紙１２ａは所定の張力が付与された状態になる。
【００２９】
（プリンターカバーの開閉機構）
図５はプリンターカバー３の開閉機構３ｂを示す図であり、プリンター左側斜め前方から見た場合の斜視図である。なお、この図においてはプリンターカバー３のカバーケース３ａを省略してある。この図から分かるように、プリンターカバー３の開閉機構３ｂは、４節の平行リンク機構によってプリンター前方に開閉可能な状態でプリンター本体２に支持されている。平行リンク機構は、カバーケース３ａが取り付けられる左右一対の前側平行リンク４１、４２（第１リンク）と、左右一対の後側平行リンク４３、４４（第２リンク）とを備えている。前側平行リンク４１、４２の下端部は、それぞれ、プリンター本体フレーム１０の底板部分１０ａ（図３、図４参照）によって回動軸４６を中心に前後に回動自在に支持され、後側平行リンク４３、４４も底板部分１０ａによって回動軸４７を中心に前後に回動自在に支持されている。
【００３０】
前側平行リンク４１、４２は、ロール紙の残量確認用の窓４５ａが形成されたフレーム前面パネル４５によって一体に連結されている。カバーケース３ａには、この窓４５ａと重なる位置に窓３ｃが形成されている（図１参照）。プリンターカバー３が閉じ位置にあるときには、窓３ｃおよび窓４５ａを介して、外部からロール紙収納部１１に収納されたロール紙１２を確認することができる。
【００３１】
前側平行リンク４１、４２の上端部は、プラテンフレーム２４の前端部に対して回動軸４８を中心に回動自在に連結されている。これに対して、後側平行リンク４３、４４の上端部と、プラテンフレーム２４の後端部との間は、上下に一定量だけ移動可能な状態で連結されている。本例では、プラテンフレーム２４の側に上下に長い長孔２４ａが形成されており、ここに、後側平行リンク４３、４４の上端部に取り付けた回動軸４９が回転可能およびスライド可能な状態で挿入されている。
【００３２】
プラテンフレーム２４の右側の側面には、このプラテンフレーム２４に回転自在の状態でガイドローラー５０が取り付けられている。プリンターカバー３が閉じ位置３Ａにあるときには、このガイドローラー５０がプリンター本体フレーム１０の側に形成された不図示の傾斜段面に乗り上げた状態になる。これにより、プラテンフレーム２４がほぼ水平に保持され、ここに取り付けられている吸引プラテン２５が一定のギャップでインクジェットヘッド２２のノズル面に対峙して印刷位置を規定する。
【００３３】
プリンターカバー３を開閉すると、プラテンフレーム２４に搭載されている吸引プラテン２５、テンションガイド２７、紙送りローラー３１などの部品も一緒に開閉して移動する。前側平行リンク４１、４２の回動軸４６を中心としてプリンターカバー３を前方に倒すと、前側平行リンク４１、４２と、後側平行リンク４３、４４の間に架け渡されているプラテンフレーム２４も全体として前方および下方に移動する。この移動により、プラテンフレーム２４のガイドローラー５０がプリンター本体フレーム１０の不図示の傾斜段面に沿って滑り落ちる。プリンターカバー３が開き位置３Ｂにあるときには、プラテンフレーム２４の側に前側平行リンク４１、４２および後側平行リンク４３、４４がほぼ水平に折り畳まれた状態になる。
【００３４】
ここで、図３、図４に示すように、プリンターカバー３とプリンター本体フレーム１０の間には引張コイルバネ５５が架け渡されており、プリンターカバー３は閉じ方向に付勢されている。引張コイルバネ５５の前端は、プラテンフレーム２４における支持レバー１８を前後方向に揺動可能に支持している支軸５６に掛けてあり、引張コイルバネ５５の後端は、プリンター本体フレーム１０における背面板部分１０ｂの下端部分に掛けてある。閉じ位置３Ａにロックされているプリンターカバー３のロックを解除した際に、バネ力によって、プリンターカバー３が自重により開いてしまうことが防止される。また、図４から分かるように、プリンターカバー３を開けると引張コイルバネ５５が伸び、開き位置３Ｂにあるプリンターカバー３に対して閉じ方向に大きなバネ力が作用する。したがって、開き位置３Ｂのプリンターカバー３を小さな力で持ち上げて閉じることができる。
【００３５】
（開閉規制機構）
次に、図６〜図８を参照して、プリンターカバー３の開閉機構３ｂに付設されているプリンターカバー３の開閉動作を規制する開閉規制機構を説明する。図６はロール紙プリンター１の脚部（支持部）が設置面に当接した正立設置状態のロール紙プリンター１の側面図である。図７は正立設置状態のロール紙プリンターを図６と同一の側から見た場合の側面図であり、プリンターカバー３が開き位置３Ｂまで開いた状態を示す。図８（ａ）はロール紙プリンター１を図６と同一の側から見た場合の側面図であり、プリンターカバー３が開いたままロール紙プリンター１を後方に傾けた状態を示す。すなわち、ロール紙プリンター１のプリンターカバー３側の第１の脚部１３が設置面から離間した状態である。また、図８（ｂ）は開閉規制機構の部分を拡大して示す説明図である。なお、図６、図７および図８（ａ）においては、プリンターカバー３の開閉機構３ｂおよび開閉規制機構６０を示すために、外装ケース２ａの側面部分の一部等を切り欠いた状態で示してあり、図８（ｂ）においては前側並行リンク４２に斜線を付した状態で示してある。
【００３６】
図６を参照して説明すると、開閉規制機構６０は、ロール紙プリンター１の設置面Ｇに対する状態（位置関係）に応じてプリンターカバー３の開閉軌跡内の位置および開閉軌跡外の位置に移動する板金製の揺動レバー６１を備えている。揺動レバー６１は、プリンターカバー３における開閉機構３ｂを構成している４節の平行リンク機構における前側平行リンク４２の外側に沿って、プリンター前後方向に配置されている。この揺動レバー６１は、プリンター本体フレーム１０に水平に取り付けた揺動中心軸６２を中心として、プリンター上下方向に揺動可能な状態で、当該プリンター本体フレーム１０によって支持されている。揺動中心軸６２は、プリンターカバー３の開閉中心を規定している回動軸４６の後側の位置に配置されている。
【００３７】
揺動レバー６１における揺動中心軸６２からプリンター後方に延びている後方側レバー部分６１ａの端部にはバネ掛け６１ｂが形成されている。このバネ掛け６１ｂよりもプリンター後方側および上方側の位置には、プリンター本体フレーム１０に形成したバネ掛け１０ｃが位置している。これらバネ掛け６１ｂ、１０ｃの間に、レバー付勢用の引張コイルバネ６３が架け渡されている。揺動レバー６１における揺動中心軸６２からプリンター前方に延びている前方側レバー部分６１ｃは、引張コイルバネ６３のバネ力によって下方に向かう方向に常時付勢されている。
【００３８】
揺動レバー６１における前方側レバー部分６１ｃの端部にはプリンター下方に突出した状態で当接部材６４の上端部が取り付けられている。当接部材６４の上端部は、揺動レバー６１に固定した水平連結ピン６７を中心として旋回可能な状態で、当該揺動レバー６１に連結されている。当接部材６４の下端部分６４ａは、プリンター本体フレーム１０の底板部分１０ａに形成した開口を通って下方に突出している。また、前方側レバー部分６１ｃにおける揺動中心軸６２と当接部材６４の間の部位には、揺動レバー６１の揺動方向に延びるガイド孔６１ｄおよびガイド溝６１ｅが形成されている。ガイド孔６１ｄにはプリンター本体フレーム１０の側に水平に取り付けたガイドピン６５がスライド可能な状態で差し通されている。ガイド溝６１ｅには、その下向きの開口側からプリンターカバー３の開閉中心を規定している回動軸４６がスライド可能な状態で挿入されている。これらの部位によって、揺動レバー６１の揺動がガイドされると共に揺動レバー６１の揺動範囲が規定されている。
【００３９】
図６、図７に示すように、ロール紙プリンター１が水平なテーブル面などの設置面Ｇに置かれた場合には、ロール紙プリンター１の裏面の前後一対の第１の脚部１３および第２の脚部１４が設置面Ｇに当接して、ロール紙プリンター１はプリンター上下方向が設置面Ｇに正立姿勢で設置された正立設置状態１Ａになる。この正立設置状態１Ａにおいては、図７から分かるように、底板部分１０ａの第１の脚部１３よりも下方に突出している揺動レバー６１の当接部材６４が、設置面Ｇによって上方に所定量だけ押し上げられた状態になる。したがって、揺動レバー６１は、その前側がプリンター上方に所定量だけ旋回した揺動位置になる。
【００４０】
これに対して、図８に示すように、正立設置状態１Ａのロール紙プリンター１の後側の第２の脚部１４を支点として当該ロール紙プリンター１の前側を持ち上げて斜めにすると、前側（プリンターカバー３の側）の第１の脚部１３が設置面Ｇから離間して浮き上がる。これに伴って、バネ力によってプリンター下方に付勢されている当接部材６４は、設置面Ｇと当接した状態を維持したままプリンター下方に向けて突出量が漸増し、揺動レバー６１は矢印Ｂの方向に揺動する。ロール紙プリンター１の前側の第１の脚部１３が設置面Ｇに対して所定量以上、離間すると（持ち上げられると）、当接部材６４が設置面Ｇから上方に離間し、底板部分１０ａから下方に突出している当接部材６４の下端部分６４ａの突出量が最大の状態になる。すなわち、第１の脚部１３から下方に突出している当接部材６４の下端部分６４ａの突出量が最大の状態になる。
【００４１】
ここで、揺動レバー６１におけるガイド孔６１ｄとガイド溝６１ｅの間の部位には、プリンター幅方向に水平に突出した状態でカバー係合ピン６６が固定されている。カバー係合ピン６６は、プリンターカバー３の前側平行リンク４２の下端部分に対して、プリンター後側に位置している。揺動レバー６１の揺動位置に応じて、カバー係合ピン６６は、プリンターカバー３の前側平行リンク４２の開閉軌跡内の位置および当該開閉軌跡外の位置に移動する。
【００４２】
前側平行リンク４２の下端面におけるプリンター後端側の角４２ａの開閉軌跡４２Ａは、プリンターカバー３の開閉に伴って、開閉中心を規定している回動軸４６を中心とする円弧を描く。カバー係合ピン６６は、図７に示すように、当接部材６４が設置面Ｇによって押し上げられている状態（設置面Ｇに当接している状態）では開閉軌跡４２Ａからプリンター後方に外れた位置にある。ロール紙プリンター１の前側部分を設置面Ｇから持ち上げると、揺動レバー６１がバネ力によって揺動する。この結果、カバー係合ピン６６は、図８に示すように、開閉軌跡４２Ａ内の位置に移動する。この位置に移動したカバー係合ピン６６に、開き位置３Ｂから閉じ方向に移動しようとする前側平行リンク４２の角４２ａが当たるので、プリンターカバー３の開き方向の移動が阻止され、プリンターカバー３が開き位置３Ｂに保持される。すなわち、カバー係合ピン６６はプリンターカバー３の開閉動作を規制するための規制部材として機能する。
【００４３】
この構成の開閉規制機構６０によるプリンターカバー３の開閉規制動作を説明する。ロール紙プリンター１が、図６、図７に示す正立設置状態１Ａの場合には、揺動レバー６１の当接部材６４が設置面Ｇによって押し上げられており（当接部材６４が設置面Ｇに当接しており）、カバー係合ピン６６が開閉軌跡４２Ａからプリンター後方に外れた位置、すなわち、プリンターカバー３の開閉動作を規制しない位置にある。したがって、開き位置３Ｂにあるプリンターカバー３を閉じる際にカバー係合ピン６６に邪魔されることなく閉じることができる。また、カバー付勢用の引張コイルバネ５５（図４参照）によってプリンターカバー３は閉じ方向に常に引張られているので、小さな操作力で簡単にプリンターカバー３を閉じることができる。プリンターカバー３を閉じると、不図示のロック機構によってプリンターカバー３が閉じ位置３Ａにロックされるので、プリンターカバー３が不用意に開くことがない。
【００４４】
また、図８に示すように、プリンターカバー３が開いたままの状態のロール紙プリンター１を後方に傾けた場合には、ロール紙プリンター１の底面の前端側の部分が設置面Ｇから浮き上がる。この結果、設置面Ｇに当接していた第１の脚部１３が当該設置面Ｇから離間して、揺動レバー６１が設置面Ｇによる押し上げ状態から解放されてバネ力によって下方に揺動する。これにより、揺動レバー６１のカバー係合ピン６６がプリンターカバー３の側の開閉軌跡４２Ａ内の位置に入り込む。よって、この傾斜状態１Ｂでプリンターカバー３を閉じようとしても、当該プリンターカバー３がカバー係合ピン６６に当たるので、プリンターカバー３は開き位置３Ｂに保持される。
【００４５】
特に、図８に示すようにロール紙プリンター１を後方に傾けた場合、換言すると、プリンター前側の第１の脚部１３が設置面Ｇから離間する方向に傾けた場合には、ロール紙プリンター１がプリンターカバー３の閉じ方向に傾く。この場合には、プリンターカバー３の自重による開き方向のモーメントが減少するので、引張コイルバネ５５のバネ力によってプリンターカバー３が不用意に閉まってしまうことがある。また、プリンターカバー３が勢いよく閉まると、プリンターカバー３がロール紙収納部１１の開口部の縁部分などに衝突し、操作者にとって予期しない大きな衝突音が発生することがある。本例では、プリンターカバー３の閉じ方向にロール紙プリンター１を傾けた場合には、上記のように揺動レバー６１が揺動してカバー係合ピン６６がプリンターカバー３の開き動作を阻止する。よって、プリンターカバー３が開き位置に保持されるので、このような事態の発生を回避できる。
【００４６】
また、揺動レバー６１の当接部材６４はプリンターカバー３の開閉中心の下側に位置している。したがって、ロール紙プリンター１の前側の第１の脚部１３が僅かに浮き上がった場合でも（僅かにロール紙プリンター１が傾斜した場合でも）、揺動レバー６１が確実に揺動してカバー係合ピン６６が、開き状態のプリンターカバー３の動きを阻止できる位置に移動する。よって、プリンターカバー３が勢いよく閉まるおそれのある傾斜方向にロール紙プリンター１を傾けた場合に、確実かつ迅速にプリンターカバー３の動きを阻止できる。
【００４７】
さらに、ロール紙プリンター１を全体的に設置面Ｇから所定量以上持ち上げたときにも、開閉規制機構６０が動作する。すなわち、揺動レバー６１が揺動して、カバー係合ピン６６がプリンターカバー３の開閉の移動軌跡内に移動する。この結果、プリンターカバー３の開閉動作が規制され、不用意にプリンターカバー３が開閉してしまうことがない。特に、プリンターカバー３が開いたままの状態でロール紙プリンター１を持ち上げて移動させるなどの操作において、プリンターカバー３が開閉方向に振れると、ロール紙プリンター１が不安定な状態となる。本例ではプリンターカバー３が開き位置３Ｂに保持されるので、プリンターカバー３の揺動によってロール紙プリンター１が不安定になり、その取扱い性が低下してしまうことを防止できる。
【００４８】
（その他の実施の形態）
上記の開閉規制機構６０では、ロール紙プリンター１を傾けると揺動レバー６１が揺動するようになっている。揺動レバー６１の代わりに、上下方向にスライド可能なスライドレバーを用いることもできる。この場合には、バネ力などの付勢力によってスライドレバーをプリンター下方に押し付けておけばよい。
【００４９】
また、上記の例では引張コイルバネ６３のバネ力を利用して揺動レバー６１を付勢している。この代わりに、あるいは、これと共に、揺動レバー６１の自重によって揺動レバー６１を移動させるようにすることもできる。例えば、揺動レバー６１における前方側レバー部分６１ｃの側に錘を付けておけば、ロール紙プリンター１を持ち上げた場合に、揺動レバー６１が自重によって揺動して、図８に示すように、当接部材６４を下方に突出させた状態にすることができる。
【００５０】
さらに、上記の例では揺動レバー６１を揺動させて、カバー係合ピン６６をプリンターカバー３の開閉機構３ｂの前側平行リンク４２に係合できるようにしてある。この代わりに、プリンターカバー３の開閉機構３ｂにおける他の構成部品に、カバー係合ピン６６を係合可能にしておいてもよいことは勿論である。
【００５１】
さらには、上記の例では、揺動レバー６１に、当接部材６４と、規制部材であるカバー係合ピン６６を取り付けてある。揺動レバー６１以外の連動機構を介して、当接部材６４の移動を、カバー係合ピン６６などの規制部材に伝達し、当該規制部材によってプリンターカバー３の開閉動作を規制するようにしてもよい。また、単一の部材に、当接部材として機能する当接部および規制部材として機能する規制部を形成した構成とすることも可能である。
【００５２】
一方、上記の例はロール紙プリンター１のロール紙収納部１１を開閉するためのプリンターカバー３の開閉機構３ｂに開閉規制機構６０を取り付けた場合の例である。本発明は、ロール紙収納部の開口部以外の部位を開閉するためのプリンターカバーに対しても同様に適用することができる。
【００５３】
上記の説明では、ロール紙プリンター１を傾けた時、ロール紙プリンター1の第１の脚部１３が設置面Ｇから離間した場合を説明したが、底板部分１０ａ（基部）が直接、設置面Ｇに対して接触する構成でも利用可能である。この場合、底板部分１０ａの少なくともプリンターカバー３の側の一部が設置面Ｇから離間したときに、当接部材６４が設置面Ｇから離間する構成とする。
【符号の説明】
【００５４】
１…ロール紙プリンター、１Ａ…正立設置状態、１Ｂ…傾斜状態、２…プリンター本体、２ａ…外装ケース、２ｂ…開口部、３…プリンターカバー、３ａ…カバーケース、３ｂ…開閉機構、３ｃ…窓、３Ａ…閉じ位置、３Ｂ…開き位置、４…記録紙排出口、５…排紙ガイド、６…カバー開閉レバー、７…収納部、１０…プリンター本体フレーム、１０ａ…底板部分、１０ｂ…背面板部分、１０ｃ…バネ掛け、１１…ロール紙収納部、１２…ロール紙、１２ａ…記録紙、１３…第１の脚部、１４…第２の脚部、１５…繰り出しローラー、１６…紙押えローラー、１７…繰り出しモーター、１８…支持レバー、２０…ヘッドユニットフレーム、２１…キャリッジガイド軸、２２…インクジェットヘッド、２３…キャリッジ、２４…プラテンフレーム、２４ａ…長孔、２５…吸引プラテン、２７…テンションガイド、２８…記録紙ガイド面、３１…紙送りローラー、３２…紙押えローラー、３３…前側紙送りローラー、３４…前側紙押えローラー、３５…紙送りモーター、４１、４２…前側平行リンク、４２ａ…角、４２Ａ…開閉軌跡、４３、４４…後側平行リンク、４５…フレーム前面パネル、４５ａ…窓、４６〜４９…回動軸、５０…ガイドローラー、５５…引張コイルバネ、５６…支軸、６０…開閉規制機構、６１…揺動レバー、６１ａ…後方側レバー部分、６１ｂ…バネ掛け、６１ｃ…前方側レバー部分、６１ｄ…ガイド孔、６１ｅ…ガイド溝、６２  揺動中心軸、６３  引張コイルバネ、６４…当接部材、６４ａ…下端部分、６５…ガイドピン、６６…カバー係合ピン（規制部材）、６７…水平連結ピン、Ａ…搬送路、Ｂ…方向、Ｇ…設置面
【図１】
0005861393.tif 000002
【図２】
0005861393.tif 000003
【図３】
0005861393.tif 000004
【図４】
0005861393.tif 000005
【図５】
0005861393.tif 000006
【図６】
0005861393.tif 000007
【図７】
0005861393.tif 000008
【図８】
0005861393.tif 000009